(57)【要約】 【課題】  より適切な出力制限が可能な放送番組出力端末装置、放送番組出力プログラム、放送番組出力プログラムを記録した記録媒体、サーバ装置、放送番組出力システムおよび放送番組出力方法を提供する。【解決手段】  表示部１１４による出力を制限する放送番組を特定するための条件である出力制限情報と、取得した放送番組を示す電子番組表データとに基づいて、表示部１１４による出力を制限する放送番組を特定し、特定された制限対象の放送番組を示す制限対象番組情報を作成しておく。ユーザが出力する放送番組を選択しようとしたとき、選択された放送番組が、制限対象番組情報に基づく制限対象の放送番組であった場合は、表示部１１４への動画および音声の出力を制限する。【選択図】      図２
2008219299.tif 000002
【特許請求の範囲】
【請求項１】
放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記選択手段によって、前記出力手段に出力する放送番組を選択されたとき、前記制限対象番組情報を参照し、選択された放送番組が制限対象の放送番組であった場合は、前記出力手段への動画および音声の出力を制限する制御手段とを備えることを特徴とする放送番組出力端末装置。
【請求項２】
前記電子番組表データを新たに取得したとき、すでに記憶されている電子番組表データと新たに取得した電子番組表データとを比較する比較手段をさらに備え、
前記作成手段は、すでに記憶されている電子番組表データと新たに取得した電子番組表データとが異なる場合、新たに取得した電子番組表データと前記出力制限情報に基づいて、新たな制限対象番組情報を作成することを特徴とする請求項１記載の放送番組出力端末装置。
【請求項３】
前記取得手段は、前記放送受信手段で受信した放送波に重畳された電子番組表データを取得することを特徴とする請求項１または２記載の放送番組出力端末装置。
【請求項４】
ネットワークに接続し、ネットワーク上の情報処理装置とデータ通信を行う通信手段を更に備え、
前記取得手段は、データ通信よって電子番組表データを配信する情報処理装置から電子番組表データを取得することを特徴とする請求項２または３記載の放送番組出力端末装置。
【請求項５】
自装置の現在位置を検知する検知手段と、
検知した現在位置に基づいて、放送番組の内容が異なる放送地域に移動したことを検出する移動検出手段とをさらに備え、
放送番組の内容が異なる放送地域に移動したとき、前記取得手段は、移動先の放送地域に対応する新たに電子番組表データを取得することを特徴とする請求項２記載の放送番組出力端末装置。
【請求項６】
前記検知手段は、ＧＰＳ受信機であることを特徴とする請求項５に記載の放送番組出力端末装置。
【請求項７】
移動体通信網に接続して電話通信を行う電話通信手段をさらに備え、
前記検知手段は、電話通信を行う基地局に関する情報に基づいて現在位置を検知することを特徴とする請求項５記載の放送番組出力端末装置。
【請求項８】
現在位置と目的地とに基づいて移動経路を探索するナビゲーション手段をさらに備え、
前記取得手段は、移動経路が通過する放送地域に対応する新たな電子番組表データを取得することを特徴とする請求項５記載の放送番組出力端末装置。
【請求項９】
受信した放送波に基づいて放送番組を録画または録音する録画手段と、
ユーザの選択によって、前記録画手段に録画または録音された動画または音声を前記出力手段に出力する再生手段とをさらに備え、
前記制御手段は、前記再生手段によって、前記出力手段に出力する放送番組の再生が選択されたとき、前記制限対象番組情報を参照し、選択された放送番組が制限対象の放送番組であった場合は、前記出力手段への動画および音声の出力を制限することを特徴とする請求項１〜８のいずれか１つに記載の放送番組出力端末装置。
【請求項１０】
前記放送受信手段は、前記放送波に含まれる信号のうち、ワンセグメント、または３セグメント部分の信号を抽出することを特徴とする請求項１〜９のいずれか１つに記載の放送番組出力端末装置。
【請求項１１】
コンピュータを、請求項１〜１０のいずれか１つに記載の放送番組出力端末装置として機能させるための放送番組出力プログラム。
【請求項１２】
コンピュータを、請求項１〜１０のいずれか１つに記載の放送番組出力端末装置として機能させるための放送番組出力プログラムを記録したコンピュータ読み取り可能な記録媒体。
【請求項１３】
放送局からの放送波を受信して放送番組を出力する放送番組出力端末装置とデータ通信を行うサーバ装置において、
前記放送番組出力端末装置は、
放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
自装置の現在位置を検知する検知手段と、
前記サーバ装置に対して、前記出力制限情報と、前記現在位置とを送信する端末側通信手段と、
前記放送番組出力端末装置の動作を制御する端末側制御手段とを備え、
前記サーバ装置は、
前記放送番組出力端末装置から、前記出力制限情報と、前記現在位置とを受信するサーバ側通信手段と、
前期現在位置に対応する放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記サーバ装置の動作を制御するサーバ側制御手段とを備え、
前記サーバ側制御手段は、前記放送番組出力端末装置に対して、前記制限対象番組情報を送信することを特徴とするサーバ装置。
【請求項１４】
放送局からの放送波を受信して放送番組を出力する放送番組出力端末装置と、この放送番組出力端末装置とデータ通信を行うサーバ装置とを含む放送番組出力システムにおいて、
前記放送番組出力端末装置は、
放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
自装置の現在位置を検知する検知手段と、
前記サーバ装置に対して、前記出力制限情報と、前記現在位置とを送信する端末側通信手段と、
前記放送番組出力端末装置の動作を制御する端末側制御手段とを備え、
前記サーバ装置は、
前記放送番組出力端末装置から、前記出力制限情報と、前記現在位置とを受信するサーバ側通信手段と、
前期現在位置に対応する放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記サーバ装置の動作を制御するサーバ側制御手段とを備え、
前記サーバ側制御手段は、前記放送番組出力端末装置に対して、前記制限対象番組情報を送信し、
前記端末側制御手段は、前記制限対象番組情報を受信し、前記選択手段によって、前記出力手段に出力する放送番組を選択されたとき、前記制限対象番組情報を参照し、選択された放送番組が制限対象の放送番組であった場合は、前記出力手段への動画および音声の出力を制限することを特徴とする放送番組出力システム。
【請求項１５】
出力手段による出力を制限する放送番組を特定するための条件である出力制限情報と、取得した放送番組を示す電子番組表データとに基づいて、出力手段による出力を制限する放送番組を特定し、特定された制限対象の放送番組を示す制限対象番組情報を作成しておき、
ユーザが出力手段に出力する放送番組を選択しようとしたとき、選択された放送番組が、前記制限対象番組情報に基づく制限対象の放送番組であった場合は、出力手段への動画および音声の出力を制限することを特徴とする放送番組出力方法。
【発明の詳細な説明】
【技術分野】
【０００１】
本発明は、放送局からの放送波を受信して放送番組を出力する放送番組出力端末装置、放送番組出力プログラム、放送番組出力プログラムを記録した記録媒体、サーバ装置、放送番組出力システムおよび放送番組出力方法に関する。
【背景技術】
【０００２】
地上デジタルテレビジョン放送が開始され、大画面、高画質のテレビジョン受像機（以下では単に「テレビ」と言う。）での視聴に適した高精細画像のコンテンツが充実したことにより、たとえばスポーツの中継放送などでは、臨場感あふれる番組を視聴することが可能となっている。また、ハードディスクレコーダなどの、高精細画像をそのままの画質で大量に録画できる記録メディアの普及に伴って、そのようなコンテンツを視聴者の都合の良い時間に視聴することが可能になっている。
【０００３】
一方で、携帯型テレビの普及、特にテレビ機能が搭載された携帯電話機が増加したことに伴い、外出先でもニュースなどの情報提供番組から各種の情報を入手することが可能になっている。このことは、便利になっていく一方で、ユーザが意図せず、入手したくない情報を誤って入手してしまう可能性を高めることにもなっている。入手しなくない情報とは、たとえば、録画予約しておいた放送番組で中継されるスポーツの試合結果などである。
【０００４】
このような、入手したくない情報を入手してしまうというリスクを軽減する方法として特許文献１記載のコンテンツ視聴システムは、利用者が入手したくない情報の取得を防止することを目的としており、電子番組表に従って順次送信される番組に対して録画予約がなされると、その番組と、その番組に関連した番組について、表示装置での視聴出力を制限する。
【０００５】
【特許文献１】特開２００６−１７３９０６号公報
【発明の開示】
【発明が解決しようとする課題】
【０００６】
特許文献１に記載のシステムでは、設定される出力制限の番組リストは、録画機で録画予約した際に確定するため、受信できる放送局が録画装置とは異なる場所に、表示装置が移動した場合、適切な出力制限ができないという問題がある。
【０００７】
本発明の目的は、より適切な出力制限が可能な放送番組出力端末装置、放送番組出力プログラム、放送番組出力プログラムを記録した記録媒体、サーバ装置、放送番組出力システムおよび放送番組出力方法を提供することである。
【課題を解決するための手段】
【０００８】
本発明は、放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記選択手段によって、前記出力手段に出力する放送番組を選択されたとき、前記制限対象番組情報を参照し、選択された放送番組が制限対象の放送番組であった場合は、前記出力手段への動画および音声の出力を制限する制御手段とを備えることを特徴とする放送受信端末装置である。
【０００９】
また本発明は、前記電子番組表データを新たに取得したとき、すでに記憶されている電子番組表データと新たに取得した電子番組表データとを比較する比較手段をさらに備え、
前記作成手段は、すでに記憶されている電子番組表データと新たに取得した電子番組表データとが異なる場合、新たに取得した電子番組表データと前記出力制限情報に基づいて、新たな制限対象番組情報を作成することを特徴とする。
【００１０】
また本発明は、前記取得手段は、前記放送受信手段で受信した放送波に重畳された電子番組表データを取得することを特徴とする。
【００１１】
また本発明は、ネットワークに接続し、ネットワーク上の情報処理装置とデータ通信を行う通信手段を更に備え、
前記取得手段は、データ通信よって電子番組表データを配信する情報処理装置から電子番組表データを取得することを特徴とする。
【００１２】
また本発明は、自装置の現在位置を検知する検知手段と、
検知した現在位置に基づいて、放送番組の内容が異なる放送地域に移動したことを検出する移動検出手段とをさらに備え、
放送番組の内容が異なる放送地域に移動したとき、前記取得手段は、移動先の放送地域に対応する新たに電子番組表データを取得することを特徴とする。
【００１３】
また本発明は、前記検知手段は、ＧＰＳ受信機であることを特徴とする。
また本発明は、移動体通信網に接続して電話通信を行う電話通信手段をさらに備え、
前記検知手段は、電話通信を行う基地局に関する情報に基づいて現在位置を検知することを特徴とする。
【００１４】
また本発明は、現在位置と目的地とに基づいて移動経路を探索するナビゲーション手段をさらに備え、
前記取得手段は、移動経路が通過する放送地域に対応する新たな電子番組表データを取得することを特徴とする。
【００１５】
また本発明は、受信した放送波に基づいて放送番組を録画または録音する録画手段と、
ユーザの選択によって、前記録画手段に録画または録音された動画または音声を前記出力手段に出力する再生手段とをさらに備え、
前記制御手段は、前記再生手段によって、前記出力手段に出力する放送番組の再生が選択されたとき、前記制限対象番組情報を参照し、選択された放送番組が制限対象の放送番組であった場合は、前記出力手段への動画および音声の出力を制限することを特徴とする。
【００１６】
また本発明は、前記放送受信手段は、前記放送波に含まれる信号のうち、ワンセグメント、または３セグメント分の信号を受信することを特徴とする。
【００１７】
また本発明は、コンピュータを、上記の放送受信端末装置として機能させるためのプログラムである。
【００１８】
また本発明は、コンピュータを、上記の放送受信端末装置として機能させるためのプログラムを記録したコンピュータ読み取り可能な記録媒体である。
【００１９】
また本発明は、放送局からの放送波を受信して放送番組を出力する放送番組出力端末装置とデータ通信を行うサーバ装置において、
前記放送番組出力端末装置は、
放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
自装置の現在位置を検知する検知手段と、
前記サーバ装置に対して、前記出力制限情報と、前記現在位置とを送信する端末側通信手段と、
前記放送番組出力端末装置の動作を制御する端末側制御手段とを備え、
前記サーバ装置は、
前記放送番組出力端末装置から、前記出力制限情報と、前記現在位置とを受信するサーバ側通信手段と、
前期現在位置に対応する放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記サーバ装置の動作を制御するサーバ側制御手段とを備え、
前記サーバ側制御手段は、前記放送番組出力端末装置に対して、前記制限対象番組情報を送信することを特徴とするサーバ装置である。
【００２０】
また本発明は、放送局からの放送波を受信して放送番組を出力する放送番組出力端末装置と、この放送番組出力端末装置とデータ通信を行うサーバ装置とを含む放送番組出力システムにおいて、
前記放送番組出力端末装置は、
放送局からの放送波を受信し、所定の周波数帯の信号を抽出する放送受信手段と、
前記放送波に基づいて、放送番組内容を示す少なくとも動画または音声のいずれか一方を出力する出力手段と、
ユーザが前記出力手段に出力する放送番組を選択する選択手段、
前記出力手段による出力を制限する放送番組を特定するための条件である出力制限情報を記憶する記憶手段と、
自装置の現在位置を検知する検知手段と、
前記サーバ装置に対して、前記出力制限情報と、前記現在位置とを送信する端末側通信手段と、
前記放送番組出力端末装置の動作を制御する端末側制御手段とを備え、
前記サーバ装置は、
前記放送番組出力端末装置から、前記出力制限情報と、前記現在位置とを受信するサーバ側通信手段と、
前期現在位置に対応する放送番組を示す電子番組表データを取得して記憶する取得手段と、
前記出力制限情報と前記電子番組表データとに基づいて、前記出力手段による出力を制限する放送番組を特定し、特定された制限対象の放送番組を示す制限対象番組情報を作成する作成手段と、
前記サーバ装置の動作を制御するサーバ側制御手段とを備え、
前記サーバ側制御手段は、前記放送番組出力端末装置に対して、前記制限対象番組情報を送信し、
前記端末側制御手段は、前記制限対象番組情報を受信し、前記選択手段によって、前記出力手段に出力する放送番組を選択されたとき、前記制限対象番組情報を参照し、選択された放送番組が制限対象の放送番組であった場合は、前記出力手段への動画および音声の出力を制限することを特徴とする放送番組出力システムである。
【００２１】
また本発明は、出力手段による出力を制限する放送番組を特定するための条件である出力制限情報と、取得した放送番組を示す電子番組表データとに基づいて、出力手段による出力を制限する放送番組を特定し、特定された制限対象の放送番組を示す制限対象番組情報を作成しておき、
ユーザが出力手段に出力する放送番組を選択しようとしたとき、選択された放送番組が、前記制限対象番組情報に基づく制限対象の放送番組であった場合は、出力手段への動画および音声の出力を制限することを特徴とする放送番組出力方法である。
【発明の効果】
【００２２】
本発明によれば、放送受信手段が、放送局からの放送波を受信し、出力手段は、前記放送波に基づいて、放送番組内容を示す少なくとも動画または音声のいずれか一方を出力する。記憶手段には、前記出力手段による出力を制限する放送番組を特定するための条件である出力制限情報を記憶し、作成手段は、前記出力制限情報と取得手段が取得した前記電子番組表データとに基づいて、前記出力手段による出力を制限する放送番組を特定し、特定された制限対象の放送番組を示す制限対象番組情報を作成する。
【００２３】
ユーザが選択手段によって、前記出力手段に出力する放送番組を選択したとき、制御手段は、前記制限対象番組情報を参照し、選択された放送番組が制限対象の放送番組であった場合は、前記出力手段への動画および音声の出力を制限する。
【００２４】
自装置が取得した電子番組表データに基づいて、出力制限を行うので、たとえば受信できる放送局が異なるような場所に移動した場合であっても適切な出力制限を行うことができる。
【００２５】
また本発明によれば、比較手段が、前記電子番組表データを新たに取得したとき、すでに記憶されている電子番組表データと新たに取得した電子番組表データとを比較し、前記作成手段は、すでに記憶されている電子番組表データと新たに取得した電子番組表データとが異なる場合、新たに取得した電子番組表データと前記出力制限情報に基づいて、新たな制限対象番組情報を作成する。
【００２６】
これにより、電子番組表データに変更があった場合でも、適切な出力制限を行うことができる。
【００２７】
また本発明によれば、前記放送受信手段で受信した放送波に重畳された電子番組表データを取得することができる。
【００２８】
また本発明によれば、データ通信によって電子番組表データを配信する情報処理装置から電子番組表データを取得することができる。
【００２９】
また本発明によれば、検知手段が自装置の現在位置を検知すると、移動検出手段が、検知した現在位置に基づいて、放送番組の内容が異なる放送地域に移動したことを検出する。前記取得手段は、放送番組の内容が異なる放送地域に移動したとき、移動先の放送地域に対応する新たに電子番組表データを取得する。
【００３０】
これにより、自装置の移動に対して速やかに電子番組表データを変更することができるので、さらに適切な出力制限を行うことができる。
【００３１】
また本発明によれば、前記検知手段として、ＧＰＳ受信機を利用できる。
また本発明によれば、電話通信を行う基地局に関する情報に基づいて現在位置を検知することができる。
【００３２】
また本発明によれば、ナビゲーション手段が探索した移動経路が通過する放送地域に対応する新たな電子番組表データを取得する。
【００３３】
これにより、移動先の電子番組表データを予め取得するので、確実に出力制限を行うことができる。
【００３４】
また本発明によれば、再生手段によって、前記出力手段に出力する放送番組を選択されたとき、前記制限対象番組情報を参照し、選択された放送番組が制限対象の放送番組であった場合は、前記出力手段への動画および音声の出力を制限する。
【００３５】
また本発明によれば、ワンセグ放送、または３セグ放送の放送番組に対しても出力制限を行うことができる。
【００３６】
また本発明によれば、コンピュータを、上記の放送番組出力端末装置として機能させるための放送番組出力プログラム、および放送番組出力プログラムを記録したコンピュータ読み取り可能な記録媒体として提供することができる。
【００３７】
また本発明によれば、放送番組出力端末装置においては、放送受信手段が、放送局からの放送波を受信し、出力手段は、前記放送波に基づいて、放送番組内容を示す少なくとも動画または音声のいずれか一方を出力する。記憶手段には、前記出力手段による出力を制限する放送番組を特定するための条件である出力制限情報を記憶し、検知手段が自装置の現在位置を検知する。端末側通信手段は、前記サーバ装置に対して、前記出力制限情報と、前記現在位置とを送信する。
【００３８】
前記サーバ装置においては、前記出力制限情報と、前記現在位置とを受信し、受信した現在位置に対応する放送番組を示す電子番組表データを取得する。作成手段は、受信した出力制限情報と取得手段が取得した前記電子番組表データとに基づいて、前記出力手段による出力を制限する放送番組を特定し、特定された制限対象の放送番組を示す制限対象番組情報を作成する。前記サーバ側制御手段が、前記放送番組出力端末装置に対して、前記制限対象番組情報を送信する。
【００３９】
これにより、放送番組出力端末装置では、前記制限対象番組情報を受信し、前記選択手段によって、前記出力手段に出力する放送番組を選択されたとき、前記制限対象番組情報を参照し、選択された放送番組が制限対象の放送番組であった場合は、前記出力手段への動画および音声の出力を制限することができる。
【００４０】
自装置が取得した電子番組表データに基づいて、出力制限を行うので、たとえば受信できる放送局が異なるような場所に移動した場合であっても適切な出力制限を行うことができる。
【００４１】
また本発明によれば、放送番組出力端末装置においては、放送受信手段が、放送局からの放送波を受信し、出力手段は、前記放送波に基づいて、放送番組内容を示す少なくとも動画または音声のいずれか一方を出力する。記憶手段には、前記出力手段による出力を制限する放送番組を特定するための条件である出力制限情報を記憶し、検知手段が自装置の現在位置を検知する。端末側通信手段は、前記サーバ装置に対して、前記出力制限情報と、前記現在位置とを送信する。
【００４２】
前記サーバ装置においては、前記出力制限情報と、前記現在位置とを受信し、受信した現在位置に対応する放送番組を示す電子番組表データを取得する。作成手段は、受信した出力制限情報と取得手段が取得した前記電子番組表データとに基づいて、前記出力手段による出力を制限する放送番組を特定し、特定された制限対象の放送番組を示す制限対象番組情報を作成する。
【００４３】
前記サーバ側制御手段が、前記放送番組出力端末装置に対して、前記制限対象番組情報を送信すると、前記端末側制御手段は、前記制限対象番組情報を受信し、前記選択手段によって、前記出力手段に出力する放送番組を選択されたとき、前記制限対象番組情報を参照し、選択された放送番組が制限対象の放送番組であった場合は、前記出力手段への動画および音声の出力を制限する。
【００４４】
自装置が取得した電子番組表データに基づいて、出力制限を行うので、たとえば受信できる放送局が異なるような場所に移動した場合であっても適切な出力制限を行うことができる。
【００４５】
また本発明によれば、出力手段による出力を制限する放送番組を特定するための条件である出力制限情報と、取得した放送番組を示す電子番組表データとに基づいて、出力手段による出力を制限する放送番組を特定し、特定された制限対象の放送番組を示す制限対象番組情報を作成しておく。ユーザが出力手段に出力する放送番組を選択しようとしたとき、選択された放送番組が、前記制限対象番組情報に基づく制限対象の放送番組であった場合は、出力手段への動画および音声の出力を制限する。
【００４６】
これにより、自装置が取得した電子番組表データに基づいて、出力制限を行うので、たとえば受信できる放送局が異なるような場所に移動した場合であっても適切な出力制限を行うことができる。
【発明を実施するための最良の形態】
【００４７】
図１は、放送番組出力システム１を示す概略図である。放送番組出力端末装置である携帯電話装置１００は、放送局２００の送信設備から送信されるテレビジョン放送波を受信して放送番組などを表示することができ、その一方ではネットワーク３００と、基地局４００を介して接続し、コンテンツ配信サーバなどの各種サーバや、ハードディスクレコーダなど据え置き型の録画装置５００とデータ通信が可能となっている。
【００４８】
図２は、本発明の第１実施形態である携帯電話装置１００の構成を示すブロック図である。
【００４９】
携帯電話装置１００は、テレビアンテナ１１０とテレビチューナ１１１とを含む放送受信部１１２、通信部１１３、表示部１１４、操作部１１５、記憶部１１６、ＧＰＳ部１１８、スピーカ１１９およびマイク１２０が、ＣＰＵ（中央演算処理装置）１１７と接続されて構成される。これらの各構成部は筐体１２１に収納される。筐体１２１は、たとえばプラスチックなどの合成樹脂などで形成される。
【００５０】
テレビアンテナ１１０は、放送局２００の送信設備から送信される放送波、たとえばテレビジョン放送波を受信する。テレビチューナ１１１は、テレビアンテナ１１０と接続されており、テレビアンテナ１１０によって受信されたテレビジョン放送波の中から特定の周波数帯野信号を抽出することによって、放送チャンネルの選局を可能とする。たとえばユーザが放送番組を見たいチャンネルを選択すると、選択されたチャンネルに応じた周波数帯の放送信号を抽出し、表示部１１４や記憶部１１６などに送出する。放送受信部１１２は、放送受信手段に相当する。
【００５１】
端末側通信手段である通信部１１３は、電話通信およびデータ通信用アンテナを含んで構成され、ハウジング１２１内部に内蔵されており、移動体通信網、公衆電話通信網、インターネットなどの各種ネットワーク３００と基地局４００を介して接続される。基地局４００と、通信部１１３とは無線通信が可能であり、携帯電話装置１００が移動した場合は、移動するごとに移動先の基地局４００と無線接続することで、常時電話通信およびデータ通信を行うことが可能となっている。
【００５２】
この通信部１１３が、ネットワーク３００を介してコンテンツ配信サーバなどと接続し、データ通信によって動画データ、音声データなどを携帯電話装置１００にダウンロードすることができる。
【００５３】
表示部１１４は、受信したテレビジョン放送の番組映像やダウンロードした動画データの映像、電話通信時およびデータ通信時の動作を選択するためのメニュー画面、設定画面などを表示する出力手段である。表示部１１４としては、特に限定されるものではないが、たとえば透過型、半透過型、反射型などの液晶表示素子によって実現される液晶ディスプレイや、ＥＬ（Electro Luminescence）素子などによって実現されるＥＬディスプレイなどが挙げられる。
【００５４】
操作部１１５は、携帯電話装置１００を操作するための選択手段であり、たとえば数字および文字を入力するための入力キーや、携帯電話装置１００の各種機能を設定または選択するファンクションキーや、電源のＯＮ・ＯＦＦ状態を切換えるための電源キーなどから構成されるキーボードを含んで構成される。そして操作部１１５は、ユーザがキーボードのキー操作を実行すると、そのキー操作に対応するキー操作検出信号をＣＰＵ１１７に送出する。
【００５５】
操作部１１５は、携帯電話装置本体と分離したリモートコントロール可能な別体になっていても良く、表示部１１４とタッチパネルとを組み合わせたものであってもよい。
【００５６】
ＣＰＵ１１７は、キー操作検出信号を識別し、識別結果に応じた所定の処理、たとえば電話帳ファイル内での電話番号の検索や、電話番号および画像データなどの記憶部１１６への記憶などを実行する。
【００５７】
記憶部１１６は、たとえばＲＡＭ（Random Access Memory）およびフラッシュＲＯＭ（Read Only Memory）などにより構成されており、ＣＰＵ１１７が携帯電話１００を構成する各部位の動作を制御するためのプログラム、ＣＰＵ１１７による制御命令、テレビアンテナ１１０および通信部１１３の通信用アンテナを介して受信した放送波に基づいた放送内容を示す動画データおよび音声データなどを含む各種データ、および相手の電話番号と相手の名前などの発信者識別情報などとを関連付けた電話帳データなどを記憶する記憶手段である。ＣＰＵ１１７は、マイクロコンピュータを主体として構成されており、携帯電話装置１００を構成する各部位の動作の制御や、記憶部１１６から読出したプログラムの実行などを行う。
【００５８】
ＧＰＳ部１１８は、グローバル・ポジショニング・システム(Global Positioning
System)を実現するためのＧＰＳ受信機で構成され、ＧＰＳ受信機、すなわち携帯電話装置１００の現在位置を緯度、経度情報として出力する検知手段である。
【００５９】
スピーカ１１９は、電話通信時などに受信した音声信号を変換し、音声として出力する。マイク１２０は、電話通信時に入力された音声から音声信号を生成し、生成した音声信号をＣＰＵ１１７に入力する。
【００６０】
取得手段、作成手段、比較手段、移動検出手段は、制御手段であるＣＰＵ１１７、記憶部１１６で構成される。
【００６１】
以下に、携帯電話装置１００の通常使用時における動作について説明する。携帯電話装置１００は、電話通信、データ通信およびテレビジョン受信が可能である。
【００６２】
まず電話通信について説明する。電話発信時や受信時などにユーザによる操作部１１５のキー操作により電話通信開始の指示がなされると、ＣＰＵ１１７は、通信部１１３に通信用アンテナを介してネットワーク２００と接続させ、基地局３００と無線通信を行わせる。受話時においてＣＰＵ１１７は、通信用アンテナが受信した所定の周波数帯域の電波に無線処理およびベースバンド処理などを施して受話信号を生成し、スピーカ１１９に送出する。スピーカ１１９は、入力された前記受話信号を音声に変換して出力する。送話時において、マイク１２０にはユーザの音声が入力される。マイク１２０は、入力された音声を変換して送話信号を生成し、生成した送話信号をＣＰＵ１１７に入力する。そしてＣＰＵ１１７は、マイク１２０から与えられた送話信号にベースバンド処理および無線処理などを施して通信用アンテナから所定の周波数帯域の電波を基地局に向けて送信する。上記操作は、ユーザから操作部１１５のキー操作により電話通信終了の指示がなされるまで続けられる。
【００６３】
次にデータ通信について説明する。たとえば電子メールの送受信時などに、ユーザによる操作部１１５のキー操作によりデータ通信開始の指示がなされると、ＣＰＵ１１７は、通信部１１３に通信用アンテナを介してネットワーク３００と接続させ、無線データ通信を行わせる。通信部１１３は、ユーザが操作部１１５のキー操作などにより作成したテキストデータのメール送信や、放送波に基づく放送内容を示す動画データや音声データなどを含む各種データなどの受信を、ネットワーク３００を介して他の携帯端末装置やサーバなどとデータ通信を行う。
【００６４】
テレビジョン放送の受信について説明する。ユーザによる操作部１１５のキー操作によりテレビジョン放送の受信開始の指示がなされると、ＣＰＵ１１７は、テレビアンテナ１１０を介して放送局から送信されるテレビジョン放送波を受信させる。そしてテレビチューナ１１１は、テレビアンテナ１１０によって受信された複数のテレビジョン放送波の中からユーザの選択に応じて、たとえば日本放送協会（ＮＨＫ）などの目的の放送局のチャンネルを選局し、選局されたテレビジョン放送波に基づく放送内容を示す画像データおよび音声データなどを表示部１１４およびスピーカ１１９に送出する。表示部１１４では、受信した動画データなどの各種データの映像を表示する。この際、音声データはスピーカ１１９からに出力される。この動作は、ユーザから操作部４１５のキー操作によりテレビジョン受信終了の指示がなされるまで続けられる。
【００６５】
またユーザは、ハードディスクレコーダ３００などの放送受信装置などに録画しておいた録画内容を視聴したいときは、放送内容を示す動画データおよび音声データなどを含む録画データの送信を指示する通知信号を上記データ通信により上記放送受信装置に送信することができる。そして上記データ通信により上記放送受信装置から録画データを受信することができる。受信した録画データは上記表示部４１４および受話部４１９により録画データに基づく音声と映像とを同時に出力させ、視聴することが可能である。
【００６６】
携帯電話装置１００においては、ユーザが入手したくない情報を出力しないために、放送番組に基づく動画および音声の出力を制限することを可能としている。
【００６７】
出力制限を有効とするためには、まず出力制限の条件設定を行う必要がある。条件設定は、たとえば、携帯電話機１００の設定機能を利用し、出力制限情報を記憶部１１６に記憶する。出力制限情報は、ユーザが操作部１１５を操作することで、入力してもよいし、自宅にある録画装置で録画予約を行っていた場合、その予約内容をデータ通信によって録画装置から受け取り、受け取った予約内容から作成するようにしてもよい。
【００６８】
ここで、出力制限情報としては、たとえば、「放送番組のタイトル」、「放送番組のジャンル」などである。また、「放送局名と番組放送時間」を直接的に条件として入力することも可能である。
【００６９】
また、携帯電話装置１００は、ＥＰＧ（電子番組表）データを取得することが可能に構成されている。ＥＰＧデータ自体の取得手順は、既存技術で可能であり、ＥＰＧサーバからネットワークを介して取得する手順、テレビジョン放送波に重畳されたＥＰＧデータを抽出して取得する手順がある。携帯電話装置１００は、テレビチューナ１１１、通信部１１３、ＣＰＵ１１７によって、いずれの手順でＥＰＧデータを取得することも可能である。
【００７０】
入力された出力制限情報と、ＥＰＧデータとに基づいて、出力制限の対象となる放送番組を特定し、制限対象番組情報として、放送番組のリストを作成して記憶部１１６に記憶する。
【００７１】
図３は、ＥＰＧデータ１０の一例を示す図である。
たとえば、ある日のある放送エリア（Ａ地域とする）で入手したＥＰＧデータが図３に示すような場合を考える。この例では、一番上の行に、放送局名１１が記載され、１番左の列に、放送時刻（２４時間表記）１２が記載されており、放送局名と放送時刻の交わるところに放送番組名１３が記載されている。
【００７２】
出力制限情報として、「世界野球決勝戦」という放送番組名が設定されている場合、放送番組名を示す文字列を検索キーとして、ＥＰＧデータを検索する。検索結果としては、「Ａ」地域のチャンネル「１」の日本公共放送（Ａ地区総合）によって、「１９：００」開始、「２２：００」終了の放送番組、つまり世界野球決勝戦という番組のみが抽出され、制限対象番組情報として、リストに挙げられる。
【００７３】
また、出力制限情報として、「野球関連」という番組ジャンルが設定されている場合は、「世界野球決勝戦」の他に、「Ａ」地域のチャンネル「３」のＡ地区毎朝放送によって、「２２：５４」開始、「２４：０９」終了の放送番組、つまり報道２３という番組、「Ａ」地域のチャンネル「８」のテレビＡ地域によって、「２３：００」開始、「２３：４５」終了の放送番組、つまりスポーツニュースという番組が抽出され、制限対象番組情報として、リストに挙げられる。図４は、制限対象番組情報２０のデータ構造を示す図である。制限対象番組情報２０には、たとえば、出力を制限する番組の特定情報として、地域名２１、チャンネル２２、開始時刻２３、終了時刻２４が記載される。
【００７４】
ＢＳ（Broadcasting Satellite）衛星放送、ＣＳ（Communication Satellite）衛星放送などの放送番組は、日本国内のどの地域にあっても同じ番組内容であるが、地上アナログ放送および地上デジタル放送の放送番組は、都道府県などの地区によって異なる番組内容である場合が多い。したがって、ＥＰＧデータの内容も、地区ごとに異なる内容となっている。携帯電話装置１００は、その携帯性故に、受信できる放送局が異なる地域を跨って移動することも多い。放送局が異なる地域に移動してしまった場合、当初の設定のままでは、本来出力制限しなければならない番組を制限できなかったり、逆に制限する必要のない番組の出力を制限してしまったりすることになってしまう。そこで本発明では、ＥＰＧデータが変更された場合は、新たに取得したＥＰＧデータと出力制限情報とを改めて比較し、制限対象番組情報を更新する。
【００７５】
ユーザが、テレビ番組を視聴しようとして、操作を開始した場合、制限対象番組情報２０を参照し、現在時刻が全リストの開始時刻２３と終了時刻２４との間にあるかどうかを判断し、間になければ番組映像および音声を出力し、間にある場合は、該当する開始時刻２３と終了時刻２４に関連付けられたチャンネルを参照する。ユーザが選択したチャンネル（放送局）が参照したチャンネルと一致しなければ、番組映像および音声を出力し、一致すれば出力を制限する。出力を制限する態様は、どのようなものでもよく、ユーザが映像および音声を視聴できないものであればよい。たとえば、該当のチャンネルを選択できなくしたり、選択できたとしても無音で画面を黒表示としたり、「野球関連の情報が含まれていますが、出力しますか？」など出力制限される番組であることを確認するようにし、確認時点で制限する必要がなければ制限を解除できるようにしてもよい。
【００７６】
またさらに、携帯電話装置１００が録画機能を有している場合、出力制限が解除されるまでは、制限対象番組の録画は可能であっても、録画された番組映像および音声の再生は制限することもできる。
【００７７】
出力制限の解除については、携帯電話装置１００の設定機能を利用して、出力制限情報を有効から無効に切換えたり、出力制限情報を削除したりすることで可能となる。
【００７８】
図５は、携帯電話装置１００の出力制限処理を示すフローチャートである。
まずステップＳ１では、出力制限を行いたい番組の条件を出力制限情報として記憶部１１６に記憶する。
【００７９】
ステップＳ２では、テレビジョン放送波の放送信号、または通信部１１３が通信している基地局４００の位置情報などを利用して現在の放送エリアを認識し、ステップＳ３でアンテナ１１０から受信した放送波、あるいは移動体通信網を利用したパケット通信などによって、現在の放送エリアに対する電子番組表（ＥＰＧデータ）を入手する。入力された出力制限情報が、外部の録画装置５００で設定した録画予約内容である場合は、録画装置５００からＥＰＧデータを受信してもよい。
【００８０】
次に、ステップＳ４で、出力制限情報と、ＥＰＧデータとに基づいて、出力制限の対象となる放送番組を特定し、制限対象番組情報として、対象放送番組のリストを作成する。ステップＳ５では、出力制限が解除されたかどうかを判断し、解除されていれば処理を終了し、されていなければステップＳ６に進む。ステップＳ６では、出力制限の対象番組の出力が選択されたかどうかを判断し、選択されていればステップＳ７に進んで、出力を阻止する。選択されていなければステップＳ８に進む。
【００８１】
ステップＳ８では、放送番組の内容や受信可能な放送局が変化したかどうかを判断し、変化した場合は、ステップＳ９に進み、変化していない場合は、ステップＳ５に戻る。
【００８２】
ステップＳ９では、現在の放送エリアを再認識し、ステップＳ１０で現在の放送エリアに対するＥＰＧデータを新たに入手する。現在記憶しているＥＰＧデータと新たなＥＰＧデータとが異なっていれば、ステップＳ１１で、出力制限情報と、新たなＥＰＧデータとに基づいて、出力制限の対象となる放送番組を改めて特定し、制限対象番組情報を更新する。
【００８３】
制限対象番組情報の更新を行う理由としては、たとえば野球中継番組などでは放送時間の延長があり、外部要因によって放送番組の変更が生じる場合と、携帯電話装置１００の移動など、装置自身に起因する要因による場合の双方が考えられる。そのため、ＥＰＧデータの入手を開始するトリガは、ＥＰＧデータが放送波に重畳されていたら受信する、ＥＰＧデータが外部からデータ通信によって送られてきたら受信する、といった受動的なものと、定期的にＥＰＧサーバにアクセスして更新を確認する、移動などにより装置の存在する放送エリアが変化したらＥＰＧデータを受信する、あるいは、ユーザの指示があったらＥＰＧデータが更新されていないかを確認し、受信するといった能動的なものとを、両方を備えているのが望ましい。
【００８４】
なお、新たな制限番組リスト作成時に、ユーザに「この設定でよろしいですか？」などと確認する場合は、変化したところだけを出力して確認するのが望ましい。
【００８５】
このことにより、放送番組の内容や、受信可能な放送局などが変化しても、常に適切な出力制限を行うことが可能となる。特に放送エリアを越えることで、受信可能な放送局が増えた等の理由で放送内容が全く異なる放送局を受信できるようになった場合にも、適切な出力制限を行える。
【００８６】
また特に、携帯電話装置１００が放送エリアを移動した場合、ユーザは以前いたエリアの放送番組を受信できなくなるため、ザッピングを行う可能性が高く、このときには「見たくない番組」を偶然見てしまうリスクが高くなる。そのため、装置自体が移動を検出して出力制限対象となる放送番組のリストを更新する。あるいは、移動先の放送エリアで出力制限対象となる放送番組をリストに追加することが望ましい。
【００８７】
そのため、携帯電話装置１００には、現在の放送エリアを検知する手段を備えることが望ましい。たとえば、放送エリアが登録された地図を用意しておき、ＧＰＳ部１１８から出力される緯度、経度に基づいて割り出した現在位置と、地図とを比較して現在の放送エリアを検知する。移動体通信網に接続する際の基地局の情報を受信し、基地局エリアに対応している放送エリアを検出する、放送番組の表示に使うチューナとは別のチューナを備え、受信可能な放送局を常にサーチし続け、受信可能な放送局に基づいて放送エリアを検出するなどがある。放送エリアが変化すれば、至急新しいＥＰＧデータを入手することにより、出力を制限すべき番組を制限できない可能性を減らすことが可能になる。
【００８８】
また、携帯電話装置１００が、カーナビゲーション機能や歩行者ナビゲーション機能のようなナビゲーション機能を備えているような場合、実際に新しい放送エリアに移動したときに新しい放送エリアに有効なＥＰＧデータを入手するのではなく、現在地およびユーザが設定した目的地から割り出された途中経路において通過する放送エリアを現在の放送エリアとみなして、前もってそれらの放送エリアに対するＥＰＧデータを取得しておき、それらの放送エリアに対して制限対象番組情報を予め作成しておくことも可能である。この場合、放送エリアが異なると同じチャンネルでも異なる放送局が割当てられているので、出力制限を行う際にも現在位置を確認してから制限を行う構成が望ましい。
【００８９】
ＥＰＧデータを取得する放送エリアは、通過する全ての放送エリアであることが望ましいが、携帯電話装置の記憶容量や、データ通信可能な通信速度などを考慮し、一部のＥＰＧデータを予め取得していてもよい。経路は決まっているので、通過する順序に応じて次に通過するであろう放送エリアのＥＰＧデータを予め取得するようにしてもよい。
【００９０】
このことにより、ＥＰＧデータの入手が遅れたことにより、出力制限すべき放送番組を制限できない可能性を減らすことができ、さらにより適切な出力制限が可能になる。
【００９１】
以下では、本発明の第２実施形態について説明する。
上記第１実施形態では、携帯電話装置がＥＰＧデータを入手して、出力制限対象となる放送番組のリストを作成、および更新する構成であるが、本実施形態では、外部のサーバに制限対象番組情報を作成させる構成である。この方法は特に、携帯電話装置１００の演算能力や記憶容量が小さい場合に有効である。
【００９２】
携帯電話装置１００の構成は、第１実施形態と同様の構成であるので、詳細な説明は省略する。また、本実施形態では、前述の録画装置５００がサーバ装置として動作する場合を例として説明するが、サーバ装置は録画装置５００のようなハードディスクレコーダに限らず、光ディスクレコーダ、ビデオデッキ、ホームサーバ、パーソナルコンピュータなどで実現してもよい。
【００９３】
図６は、録画装置５００の構成を示すブロック図である。
録画装置５００は、アンテナ５１１と接続されるチューナ５１２と、通信部５１３、大容量記憶部５１４、操作部５１５および記憶部５１６が、ＣＰＵ５１７と接続されて構成される。
【００９４】
アンテナ５１１は、放送局２００の方向に向けて配置されており、放送局２００から送信される放送波、たとえばテレビジョン放送波を受信する。チューナ５１２は、アンテナ５１１と接続されており、携帯電話装置１００のテレビチューナ１１１と同様の動作を行う。
【００９５】
通信部５１３は、ネットワーク３００と接続するためのインターフェイスであり、このネットワーク３００に接続する基地局４００を介して携帯電話装置１００と無線通信によるデータ通信を行う。また通信部５１３は、ネットワーク３００上のＥＧＰサーバからＥＰＧデータを取得することができる。
【００９６】
大容量記憶部５１４は、エンコーダおよびデコーダを有しており、チューナ５１２から送出された動画データおよび音声データなどをエンコーダにより所定のファイル形式、たとえばＭＰＥＧ（Moving Picture Experts Group phase）形式などの圧縮データに符号化圧縮し、この圧縮データを接続されているハードディスクドライブ（以下、ＨＤＤという。）へ記憶する。ＨＤＤは、圧縮データをファイル単位で記録する。また、記録された圧縮データはデコーダにより元の動画データおよび音声データなどに複号化伸張される。
【００９７】
操作部５１５は、録画装置５００を操作するための操作手段であり、各種機能を設定または選択するファンクションキーなどのキーを備える。ファンクションキーとしては、たとえば録画処理を開始させるための録画キー、録画された録画データの再生処理を開始させるための再生キー、録画処理または再生処理を停止させるための停止キーなどが挙げられる。そして操作部５１５は、ユーザがキー操作を実行すると、そのキー操作に対応するキー操作検出信号をＣＰＵ５１７に入力する。ＣＰＵ５１７は、入力されたキー操作検出信号を識別し、識別結果に応じた所定の処理、たとえば録画処理や再生処理などを実行する。
【００９８】
記憶部５１６は、たとえばＲＡＭ（Random Access Memory）およびＲＯＭ（Read Only Memory）などにより構成されており、ＣＰＵ５１７が録画装置５００を構成する各部位の動作を制御するためのプログラムやＣＰＵ５１７による制御命令などを記憶する。ＣＰＵ５１７は、マイクロコンピュータを主体として構成されており、録画装置５００を構成する各部位の動作の制御や、記憶部５１６から読出したプログラムの実行などを行う。
【００９９】
まず、録画装置５００の通常動作時における動作について説明する。
通常動作時において、ユーザから操作部５１５のキー操作により録画処理開始指示がなされると、ＣＰＵ５１７は、ユーザの選択に応じて、チューナ５１２に選択する放送局を指示し、チューナ５１２から送出される動画データおよび音声データなどを大容量記憶部５１４に転送させる。大容量記憶部５１４は、チューナ５１２から送出された動画データおよび音声データなどをエンコーダにより所定のファイル形式、たとえばＭＰＥＧ形式などの圧縮データに符号化圧縮し、この圧縮データを記憶する。
【０１００】
上記の録画処理は、ユーザから操作部５１５のキー操作により録画処理停止指示がなされるまで、または予約録画機能により、予め定められた録画時間、録画終了時刻が経過するまで続けられる。
【０１０１】
上記予約録画機能とは、ユーザから操作部５１５のキー操作により、予約録画の指示がなされると、通信部５１３がネットワーク５１８を介してＥＰＧデータを取得する。そしてユーザは取得したＥＰＧデータに基づいて目的の番組の録画予約を行うことができる。また、録画指示および予約録画の指示は、携帯電話装置１００からも行うことができる。
【０１０２】
出力制限情報が入力された場合、携帯電話装置１００の現在位置が変更され、放送エリアが変化した場合、ユーザから更新の指示が入力された場合、携帯電話装置１００は、制限対象番組情報を新たに作成、または更新する必要があると判断し、出力制限情報と現在の放送エリアを示す地域情報とに基づいて、制限対象番組情報を作成、更新する録画装置５００に対して送信する。
【０１０３】
録画装置５００では、ＥＰＧサーバにアクセスし、受信した地域情報に基づくＥＰＧデータをデータ通信によって取得する。
【０１０４】
次に、録画装置５００は、受信した出力制限情報とＥＰＧデータとに基づいて、出力制限の対象となる放送番組を特定し、制限対象番組情報として、対象放送番組のリストを作成する。リスト作成については、第１実施形態と同様であるので説明は省略する
録画装置５００は、作成した視聴制限対象となる番組のリストを、携帯型テレビ受像機１に送信する。
【０１０５】
携帯電話装置１００は、録画装置５００で作成または更新された制限対象番組情報を受信すると、既に記憶されている制限対象番組情報を上書きして更新する。
【０１０６】
制限対象番組情報に基づいて出力を制限する手段については、第１実施形態と同様である。
【０１０７】
また、視聴制限対象となる番組のリストを作成するサーバは、公共向けサービスのサーバであっても良い。この場合は、受信した放送局の一覧に応じて電子番組表を入手するのではなく、予めサービス対象となる放送局全てに対応する電子番組表（たとえば、日本国内をサービス対象とするのなら、日本国にある全てのＴＶ局に対応した電子番組表）を取得して自ら保持していても良い。
【０１０８】
なお、以上の第１、第２実施形態では、携帯電話装置１００がテレビジョン放送を受信する構成として記載したが、これは一例に過ぎない。携帯電話装置１００が音声放送を受信する、ラジオ受信機能を備えていてもよい。また、データ通信を利用してコンテンツ配信サーバからの番組コンテンツデータを受信する、いわゆるインターネット放送受信機であってもよく、この場合放送エリアは、出力を制限しようとする装置の現在位置に基づく地域（たとえばＧＰＳで緯度、経度を測定することによって特定できる地域）、ではなく、ネットワーク上での地域、たとえば、ＩＳＰ（Internet Services Provider）やアクセスポイントがどこのネットワークやドメインに属しているかなどによって定められるものであってもよい。また、これらの様々な受信機能を合わせ持つ複合端末装置であってもよい。
【図面の簡単な説明】
【０１０９】
【図１】放送番組出力システム１を示す概略図である。
【図２】本発明の第１実施形態である携帯電話装置１００の構成を示すブロック図である。
【図３】ＥＰＧデータ１０の一例を示す図である。
【図４】制限対象番組情報２０のデータ構造を示す図である。
【図５】携帯電話装置１００の出力制限処理を示すフローチャートである。
【図６】録画装置５００の構成を示すブロック図である。
【符号の説明】
【０１１０】
１  放送番組出力システム
１００  携帯電話装置
１１０  テレビアンテナ
１１１  チューナ
１１３，５１３  通信部
１１４  表示部
１１５，５１５  操作部
１１６，５１６  記憶部
１１７，５１７  ＣＰＵ
１１８  ＧＰＳ部
１１９  スピーカ
１２０  マイク
２００  放送局
３００  ネットワーク
４００  基地局
５００  録画装置
５１４  大容量記憶部
【図１】
2008219299.tif 000003
【図２】
2008219299.tif 000004
【図３】
2008219299.tif 000005
【図４】
2008219299.tif 000006
【図５】
2008219299.tif 000007
【図６】
2008219299.tif 000008